(57)【要約】【課題】表枠に対してガラス窓を簡易かつ確実に着脱することができる遊技機を提供する。【解決手段】パチンコ機の表枠１４にガラス窓２３を取り付ける場合、まずガラス窓２３の掛着具２３１を表枠１４の支持具１４２に掛着させる。そして、掛着具２３１が支持具１４２に掛着された状態で、ガラス窓２３の各スライド片２３３ａ，２３３ｂ，２３４ａ，２３４ｂを、表枠１４の各スライド溝１４３ａ，１４３ｂ，１４４ａ，１４４ｂに上方から各々嵌め込む。また、ガラス窓２３のガラス窓固定片２３５ａ，２３５ｂを、表枠１４のガラス窓固定具１４５ａ，１４５ｂで係止して、ガラス窓２３の上端部を固定する。【選択図】図１８
2007190260.tif 000002
【特許請求の範囲】
【請求項１】
遊技領域を有する遊技機本体の正面側に開閉可能に設けられ、遊技者が前記遊技領域を目視するための窓部が形成された表枠と、
前記表枠の背面側に取り付けられ、前記窓部を被覆する透明部材と、
前記表枠の背面側において前記透明部材をその外周で保持する保持部材とを備えた遊技機であって、
前記保持部材は、前記表枠の背面側で前記透明部材を支持する支持具を備え、
前記透明部材は、前記表枠の背面側から前記支持具に掛着可能な掛着具を備えており、
前記透明部材の掛着具が前記保持部材の支持具に掛着されると、前記透明部材は落下せずに前記支持具で支持されることを特徴とする遊技機。
【請求項２】
前記支持具は、前記窓部の上部で前記透明部材を支持可能な受け部材であって、
前記掛着具は、前記透明部材の上端部において前記支持具に掛着可能に突出した掛け部材であることを特徴とする請求項１に記載の遊技機。
【請求項３】
前記支持具は、前記窓部の中心を通る垂直線上に形成されており、前記表枠の背面側で下方に向けて凹陥した凹部を有し、該凹部において前記掛着具が掛着されることを特徴とする請求項２に記載の遊技機。
【請求項４】
前記掛着具は、前記透明部材の中心を通る垂直線上に形成されており、前記透明部材の上端から立設する複数の支柱部と、該複数の支柱部の先端を連結する連結部とから構成されたことを特徴とする請求項２又は３に記載の遊技機。
【請求項５】
前記保持部材は、前記透明部材の外周部が係合される複数の係合部を備え、
前記透明部材は、前記掛着具が前記支持具に掛着された状態を保ちつつ、前記複数の係合部に上方から着脱可能であることを特徴とする請求項１乃至４のいずれかに記載の遊技機。
【請求項６】
前記透明部材の外周部を前記複数の係合部に上方から着脱する場合には、前記透明部材が前記支持具への掛着によって垂下した状態から所定高さで持ち上げられる一方、前記掛着具を前記支持具から外す場合には、前記透明部材が該所定高さよりも高く持ち上げられることを特徴とする請求項５に記載の遊技機。
【請求項７】
前記表枠の背面側に、前記保持部材により保持された前記透明部材の上端部を固定する上端固定部材を備えたことを特徴とする請求項１乃至６のいずれかに記載の遊技機。
【請求項８】
前記上端固定部材は、前記表枠の背面側において左右方向に移動可能なスライド部材であることを特徴とする請求項７に記載の遊技機。
【請求項９】
前記透明部材の外周には、前記遊技機本体に向けて突出するレール状のリブ部を備え、
前記遊技機本体の正面側には、前記透明部材が取付けられた前記表枠を閉めた場合に、前記リブ部と重なるように係合されるリブ受け部が形成されたことを特徴とする請求項１乃至８のいずれかに記載の遊技機。
【請求項１０】
前記透明部材は、正面視、その中心を通る斜め方向を軸線として対称をなす外周形状を有することを特徴とする請求項１乃至９のいずれかに記載の遊技機。
【発明の詳細な説明】
【技術分野】
【０００１】
本発明は、表枠に対して透明部材が着脱される遊技機に関する。
【背景技術】
【０００２】
従来、遊技機の一種であるパチンコ機においては、遊技者が遊技領域を目視するための窓部が形成された表枠が、パチンコ機本体の正面側に開閉可能に設けられている。この表枠の窓部には、ガラス板をガラスフレームで保持したガラス窓が装着されており、遊技者はこのガラス窓を通して遊技領域を目視できるように構成されている。
【０００３】
そして、従来のパチンコ機では、表枠の窓部にガラス窓を装着するために、ガラスフレームの周囲に形成された取付孔を、表枠に形成されたスタッドボルトに挿入してネジを締めることで、ガラス窓の位置決めと固定を行うことが知られている。
【０００４】
また、ガラスを保持するガラスフレームの直線状になった片側外縁部に、係合方向に長さの異なる係合部を設け、窓枠側の補強板金と一体に形成された被係合部に挿入する。そして、着脱を邪魔しない位置に保持されている窓枠のロックレバーを、ガラスフレームに設けた係合部に保持する。これにより、係合部は不等長なので片側ずつ容易に挿入でき、またガラスフレームを閉止状態で固定できるようにして、着脱作業の容易化と部品点数の削減を実現したパチンコ機が知られている（例えば、特許文献１参照）。
【特許文献１】特開２００３−１２６４７３号公報
【発明の開示】
【発明が解決しようとする課題】
【０００５】
ところで、パチンコ機の製造時やメンテナンス時などに表枠の窓部にガラス窓を着脱するため、パチンコ機の製造者や管理者がガラス窓を把持して持ち上げた状態で、ガラス窓を位置合わせして固定したり、ガラス窓を表枠から取り外したりする作業を行っているが、一般にこのガラス窓は重量が大きい。
【０００６】
そのため、従来のように、表枠の窓部にガラス窓を装着するために、取付孔の位置合わせを行いながらスタッドボルトを挿入するという作業は、多大な手間と労力を要するという問題があった。同様に、特許文献１に係るパチンコ機においても、ガラスフレームの係合部を窓枠側の被係合部に挿入するという作業は、多大な手間と労力を要するという問題があった。
【０００７】
さらに、このようなガラス窓の着脱作業時に、スタッドボルトに対する取付孔の位置合わせや、被係合部に対する係合部の位置合わせなどが正確に行われず、ガラス窓が表枠に確実に係合していない状態で製造者等がガラス窓から手を離すと、ガラス窓が落下して破損したり、製造者等が怪我したりするという問題があった。
【０００８】
本発明は、上述の問題点を解決するためになされたものであり、表枠に対して透明部材を簡易かつ確実に着脱することができる遊技機の提供を目的とする。
【課題を解決するための手段】
【０００９】
上記課題を解決するため、請求項１に係る発明の遊技機は、遊技領域を有する遊技機本体の正面側に開閉可能に設けられ、遊技者が前記遊技領域を目視するための窓部が形成された表枠と、前記表枠の背面側に取り付けられ、前記窓部を被覆する透明部材と、前記表枠の背面側において前記透明部材をその外周で保持する保持部材とを備えた遊技機であって、前記保持部材は、前記表枠の背面側で前記透明部材を支持する支持具を備え、前記透明部材は、前記表枠の背面側から前記支持具に掛着可能な掛着具を備えており、前記透明部材の掛着具が前記保持部材の支持具に掛着されると、前記透明部材は落下せずに前記支持具で支持されることを特徴とする。
【００１０】
また、請求項２に係る発明の遊技機は、請求項１に記載の発明の構成に加えて、前記支持具は、前記窓部の上部で前記透明部材を支持可能な受け部材であって、前記掛着具は、前記透明部材の上端部において前記支持具に掛着可能に突出した掛け部材であることを特徴とする。
【００１１】
また、請求項３に係る発明の遊技機は、請求項２に記載の発明の構成に加えて、前記支持具は、前記窓部の中心を通る垂直線上に形成されており、前記表枠の背面側で下方に向けて凹陥した凹部を有し、該凹部において前記掛着具が掛着されることを特徴とする。
【００１２】
また、請求項４に係る発明の遊技機は、請求項２又は３に記載の発明の構成に加えて、前記掛着具は、前記透明部材の中心を通る垂直線上に形成されており、前記透明部材の上端から立設する複数の支柱部と、該複数の支柱部の先端を連結する連結部とから構成されたことを特徴とする。
【００１３】
また、請求項５に係る発明の遊技機は、請求項１乃至４のいずれかに記載の発明の構成に加えて、前記保持部材は、前記透明部材の外周部が係合される複数の係合部を備え、前記透明部材は、前記掛着具が前記支持具に掛着された状態を保ちつつ、前記複数の係止部に上方から着脱可能であることを特徴とする。
【００１４】
また、請求項６に係る発明の遊技機は、請求項５に記載の発明の構成に加えて、前記透明部材の外周部を前記複数の係合部に上方から着脱する場合には、前記透明部材が前記支持具への掛着によって垂下した状態から所定高さで持ち上げられる一方、前記掛着具を前記支持具から外す場合には、前記透明部材が該所定高さよりも高く持ち上げられることを特徴とする。
【００１５】
また、請求項７に係る発明の遊技機は、請求項１乃至６のいずれかに記載の発明の構成に加えて、前記表枠の背面側に、前記保持部材により保持された前記透明部材の上端部を固定する上端固定部材を備えたことを特徴とする。
【００１６】
また、請求項８に係る発明の遊技機は、請求項７に記載の発明の構成に加えて、前記上端固定部材は、前記表枠の背面側において左右方向に移動可能なスライド部材であることを特徴とする。
【００１７】
また、請求項９に係る発明の遊技機は、請求項１乃至８のいずれかに記載の発明の構成に加えて、前記透明部材の外周には、前記遊技機本体に向けて突出するレール状のリブ部を備え、前記遊技機本体の正面側には、前記透明部材が取付けられた前記表枠を閉めた場合に、前記リブ部と重なるように係合されるリブ受け部が形成されたことを特徴とする。
【００１８】
また、請求項１０に係る発明の遊技機は、請求項１乃至９のいずれかに記載の発明の構成に加えて、前記透明部材は、正面視、その中心を通る斜め方向を軸線として対称をなす外周形状を有することを特徴とする。
【発明の効果】
【００１９】
請求項１に係る発明の遊技機では、遊技機本体の正面側に設けられた表枠の背面側で、保持部材により透明部材の外周が保持されるものであって、透明部材の掛着具が保持部材の支持具に掛着されると、透明部材は落下せずに支持具で支持される。よって、表枠に対して透明部材を簡易かつ確実に着脱することができる。
【００２０】
また、請求項２に係る発明の遊技機では、請求項１に記載の発明の効果に加えて、支持具は窓部の上部で透明部材を支持可能な受け部材であって、掛着具は透明部材の上端部において支持具に掛着可能に突出した掛け部材である。よって、透明部材の掛着具を保持部材の支持具に簡易かつ確実に掛着させることができ、透明部材が落下しないように支持することができる。
【００２１】
また、請求項３に係る発明の遊技機では、請求項２に記載の発明の効果に加えて、支持具は窓部の中心を通る垂直線上に形成されており、その下方に向けて凹陥した凹部で掛着具が掛着される。よって、簡易な構成を有する支持具によって、透明部材が落下しないように支持することができる。
【００２２】
また、請求項４に係る発明の遊技機では、請求項２又は３に記載の発明の効果に加えて、掛着具は透明部材の中心を通る垂直線上に形成されており、複数の支柱部と連結部とから構成された。よって、簡易な構成を有する掛着具によって、支持具に簡易かつ確実に掛着させることができる。
【００２３】
また、請求項５に係る発明の遊技機では、請求項１乃至４のいずれかに記載の発明の効果に加えて、透明部材は掛着具が支持具に掛着された状態を保ちつつ、複数の係合部に上方から着脱可能である。よって、透明部材が落下しないように支持された状態を保ちつつ、透明部材を複数の係合部に上方から着脱することができる。
【００２４】
また、請求項６に係る発明の遊技機では、請求項５に記載の発明の効果に加えて、透明部材の外周部を複数の係合部に上方から着脱する場合には、透明部材が垂下した状態から所定高さで持ち上げられる一方、掛着具を支持具から外す場合には、透明部材がその所定高さよりも高く持ち上げられる。よって、透明部材が落下しないように支持された状態を保ちつつ、透明部材を複数の係合部に上方から着脱することができる。
【００２５】
また、請求項７に係る発明の遊技機では、請求項１乃至６のいずれかに記載の発明の効果に加えて、表枠の背面側に透明部材の上端部を固定する上端固定部材を備えた。よって、表枠の背面側に取り付けられた透明部材が外れないように、透明部材の上端部を固定することができる。
【００２６】
また、請求項８に係る発明の遊技機では、請求項７に記載の発明の効果に加えて、上端固定部材は左右方向に移動可能なスライド部材である。よって、簡易な構成を有するスライド部材によって、透明部材の上端部を固定することができる。
【００２７】
また、請求項９に係る発明の遊技機では、請求項１乃至８のいずれかに記載の発明の効果に加えて、透明部材の外周にはレール状のリブ部を備え、遊技機本体の正面側には表枠を閉めた場合にリブ部と重なるように係合されるリブ受け部が形成された。よって、表枠を閉めると、透明部材と遊技機本体の正面側との間に外部から異物を挿入可能な隙間が生じないようにすることができる。
【００２８】
また、請求項１０に係る発明の遊技機では、請求項１乃至９のいずれかに記載の発明の効果に加えて、透明部材は、正面視、その中心を通る斜め方向を軸線として対称をなす外周形状を有する。よって、表枠の窓部と同一円形でない透明部材を用いても本発明を実現することができ、透明部材の製造コストを低減することができる。
【発明を実施するための最良の形態】
【００２９】
以下、本発明に係る遊技機の一実施の形態であるパチンコ機１について、図面に基づいて説明する。図１は、パチンコ機１の表枠１４及び中枠１３が開いた状態を斜め前方から見た斜視図である。図２は、パチンコ機１の正面図である。図３は、遊技盤２の正面図である。図４は、中枠１３の正面図である。図５は、遊技盤２が取り付けられた中枠１３の正面図である。なお、以下の説明において、図１及び図２の紙面手前側を「パチンコ機１の正面側」、紙面奥行き側を「パチンコ機１の背面側」とする。
【００３０】
はじめに、パチンコ機１の概略構成について説明する。図１に示すように、パチンコ機１は、ホールの島設備（図示外）に配設され、パチンコ機１の本体を支持する正面視略長方形状の外枠１２を備えている。そして、外枠１２の遊技者に対向する正面側には、正面視略長方形状の中枠１３が設けられている。そして、この中枠１３の中枠左柱部１３ｃ（図４参照）は、上ヒンジ２６及び下ヒンジ２５を介して、外枠１２の外枠左柱部１２ｃ近傍に軸支されることにより、中枠１３が外枠１２に対して略水平方向に回動可能（開閉可能）となっており、中枠１３の開閉によって中枠右柱部１３ｂ（図４参照）で外枠１２に着脱可能となっている。一方、中枠１３の上半分には、遊技盤２が固定されるための正面視略長方形状の遊技盤用開口部Ｑ（図４参照）が形成され、当該遊技盤用開口部Ｑの正面側には、略矩形状の表枠１４が設けられている。
【００３１】
そして、表枠１４の表枠左側端部１４ａが、中枠左柱部１３ｃ（図４参照）近傍に軸支されることにより、表枠１４が中枠１３に対して略水平方向に回動可能（開閉可能）となっており、表枠１４の開閉によって表枠右側端部１４ｂで中枠１３に着脱可能となっている。さらに、表枠１４の略中央には、正面視略円形状の窓部１４０（図６参照）が形成され、この窓部１４０には正面視略円形状のガラス窓２３が嵌め込まれている。
【００３２】
また、図１に示すように、パチンコ機１の中枠１３の上半分の部分には、発射ハンドル７の操作により、発射手段である発射機（図示外）から発射された遊技球が流下する遊技盤２が設けられている。この遊技盤２は正面視略正方形であり、ガラス窓２３を略中央に保持した表枠１４によって保護されている。また、図１及び図２に示すように、中枠１３において、遊技盤２の下方には、発射機に遊技球を供給し、かつ賞品球を受け入れる上皿５が設けられている。さらに、上皿５の直下には、賞品球を受ける下皿６が設けられ、その下皿６の右側には発射機による遊技球の発射を調整する発射ハンドル７が設けられている。
【００３３】
そして、図１及び図２に示すように、中枠１３の上皿５の右側には鍵穴７５が設けられており、この鍵穴７５の背後にはシリンダ錠７６（図４参照）が設けられている。そして、この鍵穴７５に鍵（図示外）を挿入し、挿入された鍵を反時計回りに回転させることにより、外枠１２に対して固定されていた中枠１３が、略水平方向に回動可能となる。一方、挿入された鍵を時計回りに回転させることにより、中枠１３に対して表枠１４が略水平方向に回動可能となる。また、パチンコ機１の中枠１３の裏面には、制御基盤、サブ統合基盤、音基盤などの各種基盤が組み付けられており、それら基盤は、樹脂製の透明な板材からなるセンターカバー８０や基盤ボックス８２で保護されている。また、センターカバー８０の上部には、遊技機設置島から供給される遊技球を貯留する遊技球タンク８４が設けられている。
【００３４】
一方、図１に示すように、遊技盤２の正面には、外レール３及び内レール９（図３参照）に囲まれた正面視略円形状の遊技領域４が設けられている。そして、図２に示すように、この遊技領域４の略中央には、ＬＣＤから構成された特別図柄表示画面、各種ランプ及びＬＥＤを備えた特別図柄表示装置８が設けられている。また、この特別図柄表示装置８の下側には特別図柄始動電動役物１５が設けられている。そして、この特別図柄始動電動役物１５の左右には普通入賞口１９，２０がそれぞれ設けられている。そして、普通入賞口１９の左側方には普通図柄始動ゲート１１が設けられている。さらに、特別図柄始動電動役物１５の下方には、大入賞口１６が設けられている。そして、大入賞口１６の下方には、何れの入賞口にも入賞しなかった遊技球が回収されるアウト口８１が設けられている。
【００３５】
次に、外枠１２について説明する。図１に示すように、外枠１２は、ホールの島設備（図示外）に取り付けられるパチンコ機１本体を支持する枠部材である。この外枠１２は、外枠上柱部１２ａ，外枠右柱部１２ｂ，外枠左柱部１２ｃ，外枠下柱部１２ｄからなり、正面視略長方形状の枠を構成している。そして、外枠下柱部１２ｄは、他の３つの柱部材である外枠上柱部１２ａ、外枠右柱部１２ｂ、外枠左柱部１２ｃよりもやや前方へ突出した形状を有している。このため、外枠下柱部１２ｄは、他の３本の枠部材よりも高い強度を有し、土台としての機能も担っている。さらに、図２に示すように、外枠下柱部１２ｄの、遊技者に対向する正面側には、樹脂で形成された黒色の薄板である化粧板（図示外）が張られている。そして、このような構成からなる外枠１２の外枠左柱部１２ｃ近傍に、中枠１３の中枠左柱部１３ｃ（図４参照）近傍が軸支されるようになっている。
【００３６】
次に、遊技盤２について説明する。図３に示すように、遊技盤２は、正面視略長方形状の板部材であり、３枚の板部材が積層されて１枚の板部材を形成している。この遊技盤２は、中枠１３の裏面側に固着された遊技盤固定枠５０の正面側に支持される（図４参照）。そして、先述のように、この遊技盤２の正面側には、正面視略円形状に形成された外レール３と、当該外レール３の内側に配設され、正面視略半円形状に形成された内レール９とを備えている。さらに、外レール３及び内レール９の内側には発射手段によって発射された遊技球が流下する正面視略円形状の遊技領域４が形成されている。
【００３７】
また、遊技盤２の左上角部近傍には、正面視、左方向に突出するように切削加工された上側載置部３５が設けられている。この上側載置部３５は、遊技盤２を中枠１３に取り付ける際に、上側支持部３０（図４参照）に支持される部位である。一方、遊技盤２の左下角部近傍には、階段状に切削加工された下側載置部３６が設けられている。この下側載置部３６は、遊技盤２を中枠１３に取り付ける際に、下側支持部３１（図４参照）に支持される部位である。
【００３８】
また、遊技盤２の右上角部近傍には、製造者等の操作に応じて着脱可能なロック機構のメス部である上側ロック部３７が設けられている。この上側ロック部３７は、遊技盤２を中枠１３に取り付ける際に、ロック機構のオス部である上側ロック体３２（図４参照）に係着される部位である。一方、遊技盤２の右下角部近傍には、製造者等の操作に応じて着脱可能なロック機構のメス部である下側ロック部３８が設けられている。この下側ロック部３８は、遊技盤２を中枠１３に取り付ける際に、ロック機構のオス部である下側ロック体３３（図４参照）に係着される部位である。さらに、遊技盤２の外レール３右半分の湾曲する外側面には、その湾曲形状に沿うようにして飾り部材３９が固定されている。
【００３９】
さらに、正面視、遊技盤２の左上角部近傍には、遊技盤２を中枠１３に位置決め固定するために穿設された嵌合穴４０ａが設けられている。一方、遊技盤２の右下角部近傍にも、嵌合穴４０ａと同様の嵌合穴４０ｂが設けられている。そして、これら嵌合穴４０ａ，４０ｂを、中枠１３に固着された嵌合突起４１ａ，４１ｂ（図４参照）に各々嵌合させることにより、中枠１３に対して遊技盤２の位置決め及び固定がなされる。
【００４０】
次に、中枠１３について説明する。図４に示すように、中枠１３は、中枠上柱部１３ａ，中枠右柱部１３ｂ，中枠左柱部１３ｃ，中枠下柱部１３ｄにより、正面視略長方形状に構成されている。そして、中枠１３を構成する柱部材は、金属製のアングル部材からなる。さらに、中枠上柱部１３ａ、中枠右柱部１３ｂ及び中枠左柱部１３ｃは、平面視略短冊形状に形成されている。一方、中枠下柱部１３ｄは、中枠上柱部１３ａ、中枠右柱部１３ｂ及び中枠左柱部１３ｃの幅よりも広い面積を有する平面視略長方形状に形成されている。そして、中枠下柱部１３ｄの正面側には、上述した下皿６や発射ハンドル７などの各部品（図２参照）及び各装置が固定される。
【００４１】
また、中枠左柱部１３ｃの正面側における、長手方向上端部近傍には、平面視略半円形状の掛け部２４が固定されている。この掛け部２４は、外枠１２に固定された上ヒンジ２６（図１参照）とともに「上ヒンジ構造」を構成する。そして、掛け部２４には、掛け部２４の上面から上方に向かって凸設され、上ヒンジ２６に設けられた係合穴（図示外）に係合するための軸ピン（図示外）が設けられている。さらに、掛け部２４の下面には、下方に向かって凸設され、表枠１４の表枠左側端部１４ａの長手方向上端部に設けられた組付具１４ｅ（図６参照）の係合穴（図示外）に係合する軸ピン２４ａが設けられている。
【００４２】
一方、中枠左柱部１３ｃの正面側における、長手方向略中間よりもやや下方位置近傍には、中ヒンジ２９が固定されている。この中ヒンジ２９は、表枠１４の表枠左側端部１４ａの長手方向下端部に設けられた組付具１４ｆ（図６参照）とともに「中ヒンジ構造」を構成する。そして、中ヒンジ２９には、中ヒンジ２９の上面から上方に向かって凸設された軸ピン２９ａが設けられ、その軸ピン２９ａには組付具１４ｆ（図６参照）の係合穴（図示外）が係合する。
【００４３】
さらに、中枠左柱部１３ｃの正面側における、長手方向下端部近傍には、掛け部２７が固定されている。この掛け部２７は、外枠１２に固定された下ヒンジ２５（図１参照）とともに「下ヒンジ構造」を構成する。さらに掛け部２７には、下ヒンジ２５に凸設された軸ピン（図示外）と係合するための係合穴２７ａが設けられている。したがって、中枠１３の中枠左柱部１３ｃは、外枠１２の外枠左柱部１２ｃ近傍に軸支されることにより、外枠１２に対して中枠１３が略水平方向に回動可能である。同様に、表枠１４の表枠左側端部１４ａは、中枠１３の中枠左柱部１３ｃ近傍に軸支されることにより、中枠１３に対して表枠１４が略水平方向に回動可能である。
【００４４】
なお、中枠右柱部１３ｂの正面側における、長手方向略中間位置近傍には、鉤形状をなす上下一対の鉤金具２１，２２が取り付けられている。これら鉤金具２１，２２は、正面から突出して、表枠１４に設けた係止具１４ｇ，１４ｈ（図６参照）に対応して設けられている。そして、中枠１３に対して表枠１４を閉鎖すると、鉤金具２１，２２の先端部が表枠１４側の係止具１４ｇ，１４ｈに係止されて、シリンダ錠７６により施錠状態とされるようになっている。
【００４５】
ここで、中枠１３の裏面側には、正面視略長方形状の遊技盤固定枠５０が固着され、中枠１３と一体化されている。この遊技盤固定枠５０は、中枠１３に対する遊技盤２の位置決めをして固定するための枠部材であり、中枠１３の裏面側に固着されている。そして、遊技盤固定枠５０は、固定枠上柱部５０ａ，固定枠右柱部５０ｂ，固定枠左柱部５０ｃ，固定枠下柱部５０ｄによって、正面視略長方形状の枠を構成している。また、これら柱部材は金属製のアングル部材であり、固定枠左柱部５０ｃ及び固定枠右柱部５０ｂは平面視略短冊形状に形成されている。一方、固定枠上柱部５０ａ及び固定枠下柱部５０ｄは、固定枠左柱部５０ｃ及び固定枠右柱部５０ｂよりも幅の広い平面視略長方形状に形成されている。そして、このような構成からなる遊技盤固定枠５０の内側には、正面視略長方形状の遊技盤用開口部Ｑが形成されている。この遊技盤用開口部Ｑには、遊技盤２の背面から突出する特別図柄表示装置８の一部や、各部品の凸部形状が挿入される。したがって、遊技盤固定枠５０の正面に、遊技盤２の裏面を密着させることができる。
【００４６】
そして、上記構成からなる中枠１３には、遊技盤２の位置決めをして固定するために、以下の構成を備える。すなわち、遊技盤固定枠５０の左上角部近傍には、遊技盤２の上側載置部３５（図３参照）を支持するための上側支持部３０が設けられ、遊技盤固定枠５０の左下角部近傍には、遊技盤２の下側載置部３６（図３参照）を支持するための下側支持部３１が設けられている。上側支持部３０は、上方から載置される上側載置部３５の側部及び底部を支持可能に正面側に立設された受け金具であり、下側支持部３１は、上方から載置される下側載置部３６の側部及び底部を支持可能に正面側に立設された受け金具である。
【００４７】
一方、遊技盤固定枠５０の右上角部近傍には、遊技盤２の上側ロック部３７に係着する上側ロック体３２が設けられ、遊技盤固定枠５０の右下角部近傍には、遊技盤２の下側ロック部３８に係着する下側ロック体３３が設けられている。上側ロック体３２は、上側ロック部３７と対向するように正面側に立設された係止金具であり、下側ロック体３３は、下側ロック部３８と対向するように正面側に立設された係止金具である。
【００４８】
さらに、遊技盤固定枠５０の左上角部近傍には、遊技盤２の嵌合穴４０ａに嵌合される嵌合突起４１ａが設けられ、遊技盤固定枠５０の右下角部近傍には、遊技盤２の嵌合穴４０ｂに嵌合される嵌合突起４１ｂが設けられている。嵌合突起４１ａは、嵌合穴４０ａと対向するように正面側に突出したピン金具であり、嵌合突起４１ｂは、嵌合穴４０ｂと対向するように正面側に突出したピン金具である。
【００４９】
そして、図５に示すように、遊技盤２を中枠１３に取り付ける場合、まず遊技盤２の上側載置部３５及び下側載置部３６を、中枠１３の上側支持部３０及び下側支持部３１に各々上方から載置する。すると、遊技盤２の左側面近傍は、上側支持部３０及び下側支持部３１により軸支されるため、製造者等は中枠１３に対して遊技盤２を略水平方向に回動可能である。そして、上側支持部３０及び下側支持部３１を回転中心として、遊技盤２を中枠１３に対して閉めると、中枠１３の上側ロック体３２及び下側ロック体３３が遊技盤２の上側ロック部３７及び下側ロック部３８に各々嵌着すると同時に、中枠１３の嵌合突起４１ａ，４１ｂが遊技盤２の嵌合穴４０ａ，４０に各々嵌入する。これにより、上記構成を有するパチンコ機１では、遊技盤２は中枠１３に対して簡易かつ確実に位置決めされると同時に固定される。
【００５０】
次に、表枠１４について説明する。図６は、ガラス窓２３が取り付けられていない表枠１４の斜め後方からみた斜視図である。図７は、ガラス窓２３が取り付けられていない表枠１４の背面図である。図８は、支持具１４２の拡大斜視図である。図６及び図７に示すように、表枠１４の略中央には、遊技者がパチンコ機１の前方から遊技領域を目視できるように設けられた視認窓である窓部１４０が形成されている。本実施の形態では、窓部１４０は若干縦長の楕円形状をなす。そして、この窓部１４０の背面には、その全体を被覆可能なガラス窓２３が着脱されるが、詳細は後述する。
【００５１】
また、表枠１４の開閉動作の軸線側となる表枠左側端部１４ａには、その上端部及び下端部に中枠１３に対する組付機構として、組付具１４ｅ，１４ｆが固定されている。そして、先述のように、中枠１３に設けられた軸ピン２４ａ，２９ａ（図４参照）に対して、表枠１４の組付具１４ｅ，１４ｆがそれぞれ取り付けられる。すなわち、上側の組付具１４ｅには上面に開口する係合穴（図示外）が形成されており、この係合穴に軸ピン２４ａが挿入される一方、下側の組付具１４ｆには下面に開口する係合穴（図示外）が形成されており、この係合穴に軸ピン２９ａが挿入される。かかる構成により、中枠１３に対して表枠１４が開閉可能に支持される。
【００５２】
一方、表枠１４の開閉動作の軸線側とは反対側の表枠右側端部１４ｂには、上下一対をなす中枠１３に対する着脱機構としての板状金具である係止具１４ｇ，１４ｈが固定されている。先述のように、中枠１３に設けられた鉤金具２１，２２（図４参照）に対して、表枠１４の係止具１４ｇ，１４ｈがそれぞれ着脱可能である。すなわち、中枠１３に対して表枠１４を閉めると、係止具１４ｇ，１４ｈに鉤金具２１，２２の先端部がそれぞれ掛止される一方、中枠１３に対して表枠１４を開くと、係止具１４ｇ，１４ｈから鉤金具２１，２２の先端部がそれぞれ外れて開放される。かかる構成により、中枠１３に対して表枠１４を任意に着脱可能である。
【００５３】
また、背面視、表枠１４の右上端縁部近傍には、パチンコ機１の前方に向けてスピーカー（図示外）の音声を出力するスピーカー部１４ｃが設けられている。同様に、表枠１４の左上端縁部近傍には、パチンコ機１の前方に向けてスピーカー（図示外）からの音声を出力するスピーカー部１４ｄが設けられている。
【００５４】
ここで、本実施の形態に係る表枠１４は、ガラス窓２３をその外周で保持する「保持部材」として、以下のような構成を有する。すなわち、表枠１４の背面側における上端部近傍に、ガラス窓２３を支持するための受け金具である支持具１４２が設けられている。この支持具１４２は、窓部１４０の中央からみた上部（すなわち、窓部１４０の中心を通る垂直線上に位置する、表枠１４の上端縁部）に設けられている。
【００５５】
図８に示すように、支持具１４２は、表枠１４の上端縁部に当接して固定される平面視略長方形状の固定片１４２ａと、固定片１４２ａの後端から下方向に向けて屈曲して延設された正面視略長方形状の第１折曲片１４２ｂと、第１折曲片１４２ｂの下端から後方向に向けて屈曲して延設された平面視略長方形状の受け片１４２ｃと、受け片１４２ｃの後端から上方向に向けて屈曲して延設された正面視略長方形状の第２折曲片１４２ｄとから構成されている。
【００５６】
なお、背面視、表枠１４の上端縁部には、パチンコ機１の後方に向けて水平に突出した、その左右方向を長手方向とする金属フレーム（図示外）が設けられている。そして、この金属フレーム（図示外）の下面に固定片１４２ａの上面が当接するように、支持具１４２は金属フレーム（図示外）と一体となって表枠１４の背面側に固定されている。
【００５７】
ここで、略平行をなす第１折曲片１４２ｂと第２折曲片１４２ｄの間隔幅（受け片１４２ｃの前後方向の長さ）は、後述の掛着具２３１の連結棒２３１ｃ（図１５参照）の直径よりも若干大きい。また、第１折曲片１４２ｂよりも後方に位置する第２折曲片１４２ｄは、第１折曲片１４２ｂと比べて高さ（上下方向の長さ）が小さい。そのため、この第１折曲片１４２ｂ，受け片１４２ｃ，第２折曲片１４２ｄに取り囲まれて、側面視、上方向に開口するコの字型をなす溝部（すなわち、下方に向けて凹陥した凹部）に、掛着具２３１の連結棒２３１ｃを後方から掛着可能である。
【００５８】
図６及び図７に戻り、表枠１４の背面側には、フレーム幅の小さい長尺板状のレール部１４１が、窓部１４０の外周に沿って下方向に湾曲した略Ｕの字型をなすように立設されている。そして、このレール部１４１は後述するガラス窓２３のガラスフレーム２３ｃ（図９等参照）の下半分と略同一の形状をなし、このレール部１４１に対して上方からガラス窓２３を着脱可能である。
【００５９】
そして、レール部１４１において、背面視、右肩方向に向けて湾曲する右部の上端縁部には、上スライド溝１４３ａが設けられ、左肩方向に向けて湾曲する左部の上端縁部には、上スライド溝１４３ｂが設けられている。上スライド溝１４３ａ，１４３ｂは、平面視、窓部１４０に向けて開口するようなコの字型に取り囲むように形成されている。そして、その内部に嵌め込まれるガラス窓２３のガラスフレーム２３ｃを上下方向に摺動可能に案内する、各々対向する一対のガイド溝である。
【００６０】
また、レール部１４１において、背面視、右肩方向に向けて湾曲する右部の中間位置より若干下側には、下スライド溝１４４ａが形成されている一方、左肩方向に向けて湾曲する左部の中間位置より若干下側には、下スライド溝１４４ｂが形成されている。下スライド溝１４４ａ，１４４ｂは、平面視、窓部１４０に向けて開口するようなコの字型に取り囲むように形成されて、かつ、その下端面が閉じられている。そして、その内部に嵌め込まれるガラス窓２３のガラスフレーム２３ｃを上方向のみに摺動可能に案内する、各々対向する一対のガイド溝である。
【００６１】
さらに、表枠１４の背面側には、背面視、支持具１４２の右側に、左右方向にスライド移動可能なガラス窓固定具１４５ａが形成されている。図１７に示すように、ガラス窓固定具１４５ａは、背面視、横長長方形状をなす可動体１４５１ａと、この可動体１４５１ａを左右方向に摺動可能に支持する固定体１４５２ａとから構成されている。可動体１４５１ａの右端部は後方に突出した操作部１４５３ａであり、この操作部１４５３ａを摘まんで左右方向に移動させると、それに応じて可動体１４５１ａの左端部がガラス窓２３の上端部（ガラス窓固定片２３５ａ）に着脱可能である。固定体１４５２ａは、表枠１４の背面側にあらかじめ一体に形成されており、その内部に形成された左右方向に連通する貫通孔であるスライド溝（図示外）に可動体１４５１ａが摺動可能に嵌め込まれている。
【００６２】
同様に、表枠１４の背面側には、背面視、支持具１４２の左側に、左右方向にスライド移動可能なガラス窓固定具１４５ｂが形成されている。そして、図１７に示すように、ガラス窓固定具１４５ｂは、可動体１４５１ｂ，固定体１４５２ｂ，操作部１４５３ｂを有し、この操作部１４５３ｂを摘まんで左右方向に移動させると、それに応じて可動体１４５１ｂの右端部がガラス窓２３の上端部（ガラス窓固定片２３５ｂ）に着脱可能である。
【００６３】
次に、ガラス窓２３について説明する。図９は、ガラス窓２３の斜め前方からみた斜視図である。図１０は、ガラス窓２３の正面図である。図１１は、ガラス窓２３の斜め後方からみた斜視図である。図１２は、ガラス窓２３の背面図である。図１３は、Ｂ−Ｂ線における、ガラス窓２３の矢視方向断面図である。図１４は、Ｃ−Ｃ線における、ガラス窓２３の矢視方向断面図である。図１５は、掛着具２３１の拡大斜視図である。なお、正面視、図１０及び図１２に示すＢ−Ｂ線は、ガラス窓２３の左側部に対して垂直に通る線であり、図１０及び図１２に示すＣ−Ｃ線は、ガラス窓２３の左下側部に対して垂直に通る線である。
【００６４】
図９乃至図１２に示すように、ガラス窓２３は、所定間隔を隔てて配置された前後一対のガラス板２３ａ，２３ｂと、ガラス板２３ａ，２３ｂの外周を保持するガラスフレーム２３ｃとで構成されている。このガラス板２３ａ，２３ｂは、各々の中心を通る斜め方向を軸線として対称をなす外周形状を有し、表枠１４の窓部１４０を被覆できるような形状及び大きさを有している。
【００６５】
本実施の形態では、ガラス板２３ａ，２３ｂは、略正八角形状をなすように８つの角を有する一方、その外周の輪郭は滑らかな曲線を有する略円環状をなし、この８つの角も滑らかに湾曲している。そして、ガラス板２３ａ，２３ｂの外周形状は、図１０及び図１２に示すように、平面視又は背面視、水平面に対して４５度傾斜してガラス板２３ａ，２３ｂの中心を通るＡ−Ａ線を対称軸として線対称をなす。なお、ガラス板２３ａ，２３ｂの横及び縦の長さ（上下方向及び左右方向の幅長）は、その中心において最大となる。
【００６６】
ところで、一般には、ガラス窓２３（ガラス板２３ａ，２３ｂ）として、表枠１４の窓部１４０と同一円形に形成したものを利用することが多い。しかし、従来のガラス窓は、その円形形状のために部材の方向を特定しにくく、その製造時の位置決めが困難であるという不具合があった。そのため、本実施の形態では、上記のように斜め軸対称となる外周形状を有するガラス窓２３（ガラス板２３ａ，２３ｂ）を用いることで、ガラス窓２３の製造時の位置決めを容易にしている。
【００６７】
また、図１３に示すように、ガラスフレーム２３ｃは、ＡＢＳ樹脂等により一体成形された枠部材であり、外枠５０１，連結部５０２，内枠５０３などで一体に構成されている。なお、ガラスフレーム２３ｃ内側の二点鎖線（図１０及び図１２参照）は、表枠１４に対してガラス窓２３を取り付けた場合に、遊技者がパチンコ機１の前方から窓部１４０を通じて視認できる視認領域Ｒを示している。
【００６８】
ガラスフレーム２３ｃの外枠５０１は、ガラス板２３ａ，２３ｂの外周と同一形状を有するリング体であり、ガラス板２３ａ，２３ｂの外周部を密着状態で固定するものである。外枠５０１のフレーム幅は、ガラス板２３ａ，２３ｂが置かれた所定間隔とほぼ同じであるが、その一部では背面側に向けて突出するようにフレーム幅が大きく形成されている。この外枠５０１におけるフレーム幅が大きい部位が、後述するリブ部２３９ａ〜２３９ｄとして機能する（図９及び図１１参照）。
【００６９】
また、ガラスフレーム２３ｃの外枠５０１には、その内周側にレール状に突出した連結部５０２が形成されている。そして、この連結部５０２の先端部には、外枠５０１と略並行をなし、かつ外枠５０１よりもフレーム幅が小さい内枠５０３が、外枠５０１よりも若干小さいリング体として形成されている。この内枠５０３は、ガラス窓２３の内側からガラス板２３ａ，２３ｂを密着状態で固定するものである。
【００７０】
そして、ガラスフレーム２３ｃにおいて、外枠５０１，連結部５０２，内枠５０３により囲繞された正面側及び背面側の溝部に、接着層を形成するシール材２３ｄ，２３ｅが各々充填されている。ガラス板２３ａは、その外周で外枠５０１の内周面に固定され、かつその背面で内枠５０３の側面に固定された状態で、シール材２３ｄによって隙間無く強固に接着されている。同様に、ガラス板２３ｂは、その外周で外枠５０１の内周面に固定され、かつその正面で内枠５０３の側面に固定された状態で、シール材２３ｅによって隙間無く強固に接着されている。かかる構成により、ガラス窓２３の内部には、ガラスフレーム２３ｃとガラス板２３ａ，２３ｂとによって取り囲まれた密閉空間３００が形成されている。
【００７１】
なお、略八角形状のガラスフレーム２３ｃの各頂点内側には、若干の余スペースが設けられている（図１０及び図１２参照）。これは、ガラス窓２３の製造工程において、ガラス板２３ａ，２３ｂを取り付ける際に用いられるシール剤（接着剤）が、ガラスフレーム２３ｃとの接合部から溢れた場合でも、その溢れたシール剤を余スペースの形成範囲に留まらせるためである。これにより、パチンコ機１にガラス窓２３を取り付けた際に、遊技者側からシール剤の溢れ出しを視認できないようにしている。
【００７２】
ここで、本実施の形態に係るガラス窓２３は、表枠１４に対して簡易かつ正確に取り付けるために、以下のような構成を有する。すなわち、ガラスフレーム２３ｃの上端部に、表枠１４の支持具１４２に掛着可能に突出した掛け金具である掛着具２３１が設けられている。この掛着具２３１は、ガラス窓２３の中央からみた上部（すなわち、ガラス窓２３の中心を通る垂直線上に位置する、ガラス窓２３の上端部）に設けられている。
【００７３】
図１５に示すように、掛着具２３１は、ガラスフレーム２３ｃの上端部から上方に向けて立設する２つの支柱部２３１ａ，２３１ｂと、各支柱部２３１ａ，２３１ｂの先端を連結する棒状金具である連結棒２３１ｃとから構成されている。そして、支柱部２３１ａ，２３１ｂに支持される連結棒２３１ｃが、表枠１４の支持具１４２に係着される。詳細には、支持具１４２に形成される凹部（第１折曲片１４２ｂ，受け片１４２ｃ，第２折曲片１４２ｄにより囲まれた溝部）に、連結棒２３１ｃが嵌め込まれるようになっている。なお、本実施の形態において、掛着具２３１が支持具１４２に「係着」された状態とは、連結棒２３１ｃが受け片１４２ｃに当接しているか否かを問わず、連結棒２３１ｃが第１折曲片１４２ｂと第２折曲片１４２ｄとの間隙に嵌め込まれている状態をいう。
【００７４】
図９乃至図１２に戻り、正面視、ガラス窓２３のガラスフレーム２３ｃの左側面には、その外周に沿ってフレーム幅の小さい長尺板状のガイドレール２３２ａが立設されている。同様に、ガラス窓２３のガラスフレーム２３ｃの右側面には、その外周に沿ってフレーム幅の小さい長尺板状のガイドレール２３２ｂが立設されている。そして、ガイドレール２３２ａ，２３２ｂにおいて、各々の上端部はフレーム幅が大きい上スライド片２３３ａ，２３３ｂとなっている。なお、上スライド片２３３ａ，２３３ｂは、先述の表枠１４に形成された上スライド溝１４３ａ，１４３ｂに対応する位置に設けられている。すなわち、上スライド片２３３ａ，２３３ｂは、ガラス窓２３の斜め上部分から両側面方向に向けて各々突出し、上スライド溝１４３ａ，１４３ｂにそれぞれ係合可能な一対のガイド片である。
【００７５】
なお、ガラス窓２３が表枠１４に取り付けられると、ガイドレール２３２ａ，２３２ｂの正面側はレール部１４１の背面側に隙間無く当接して、ガイドレール２３２ａ，２３２ｂとレール部１４１との接合部に段差が形成される。そのため、ガラス窓２３と表枠１４との間隙から針金などを挿入するような不正が防止される。
【００７６】
また、ガイドレール２３２ａ，２３２ｂにおいて、各々の下端部はフレーム幅が大きくなっており、正面視、左下方向及び右下方向に各々突出するような下スライド片２３４ａ，２３４ｂがそれぞれ形成されている。なお、下スライド片２３４ａ，２３４ｂは、先述の表枠１４に形成された下スライド溝１４４ａ，１４４ｂに対応する位置に設けられている。すなわち、下スライド片２３４ａ，２３４ｂは、ガラス窓２３の斜め下部分から両側面方向に向けて突出し、下スライド溝１４４ａ，１４４ｂにそれぞれ係止可能な一対のガイド片である。
【００７７】
なお、下スライド片２３４ａ，２３４ｂの略中央部には微小な貫通孔が形成されている。これは、ガラス窓２３の製造工程でガラスフレーム２３ｃに変形が生じた場合に、この下スライド片２３４ａ，２３４ｂの貫通孔に基づいて位置決めを行って、ガラスフレーム２３ｃを矯正するためのものである。これにより、ガラス窓２３の製造工程では、ガラスフレーム２３ｃに対するガラス板２３ａ，２３ｂの取り付けを確実に行うことができる。
【００７８】
さらに、ガラス窓２３のガラスフレーム２３ｃには、正面視、掛着具２３１の左側近傍に、平面視略長方形状の水平面を形成するガラス窓固定片２３５ａが形成されている。同様に、掛着具２３１の右側近傍に、平面視略長方形状の水平面を形成するガラス窓固定片２３５ｂが形成されている。なお、ガラス窓固定片２３５ａ，２３５ｂは、先述の表枠１４に形成されたガラス窓固定具１４５ａ，１４５ｂに対応する位置に設けられている。すなわち、ガラス窓固定片２３５ａ，２３５ｂは、ガラス窓２３を上方から固定するためのガラス窓固定具１４５ａ，１４５ｂを各々受ける一対の受け部材である。
【００７９】
また、本実施の形態に係るガラス窓２３は、その内部を除湿するための「吸湿部材」を設けるために、以下のような構造を有する。すなわち、正面視、ガラス窓２３の左下部分には、その内部に乾燥剤２９０を収容するとともに、その背面側から乾燥剤２９０を見えないように被覆する乾燥剤支持部５００が設けられている。
【００８０】
図１４に示すように、乾燥剤支持部５００は、正面視、内枠５０３の左下部分と、当該内枠５０３の左下部分から内周側に向けて、ガラス板２３ｂの正面に沿って延設された薄板状の被覆部５０４と、被覆部５０４の先端部から前方に延設された仕切部５０５と、被覆部５０４の正面から前方に延設された２つの支持部５０６，５０７とを有し、ガラスフレーム２３ｃと一体に形成されている。なお、仕切部５０５と支持部５０６，５０７は、ガラス板２３ａ，２３ｂの間隙に架設されて、ガラス板２３ａ，２３ｂにより隙間無く挟持されている。
【００８１】
そして、ガラスフレーム２３ｃとガラス板２３ａ，２３ｂとにより形成された密閉空間３００は、乾燥剤支持部５００の仕切部５０５によって、仕切部５０５の上面側に位置する目視部３００ａと、仕切部５０５の下面側に位置する吸湿部３００ｂとに仕切られる。すなわち、この吸湿部３００ｂは、乾燥剤支持部５００とガラス板２３ａによって取り囲まれた密閉空間であり、その内部に乾燥剤２９０が収容されている。この乾燥剤２９０は、細長い筒状の包装体の内部に粒状のゼオライトやシリカゲルが収納されている。そして、乾燥剤２９０は、乾燥剤支持部５００の内部において、内枠５０３の内周面に沿って貼り付けられている。なお、仕切部５０５には、複数の通気孔５０９が略均等な間隔で形成されているため、目視部３００ａ及び吸湿部３００ｂは空気が相互に流動可能である。そのため、吸湿部３００ｂに設けられた乾燥剤２９０は、この複数の通気孔５０９を介して目視部３００ａから吸湿可能である。
【００８２】
かかる構成により、ガラス窓２３の内部に吸湿用の乾燥剤２９０を配置することで、ガラス窓２３の正面側からはガラス板２３ａを介して吸湿部３００ｂに配置された乾燥剤２９０を目視できる一方（図１０参照）、ガラス窓２３の背面側からは被覆部５０４により隠蔽されて乾燥剤２９０を目視できない（図１２参照）。つまり、ガラス窓２３の正面側からのみ乾燥剤２９０を目視できるようにして、ガラス窓２３の背面側からは目視できないように乾燥剤２９０を隠蔽することができる。これにより、ガラス窓２３の製造時には乾燥剤２９０の配置ミスなどの確認が容易であり、またパチンコ機１への取付け後は美観を保つという効果がある。
【００８３】
なお、本実施の形態では、図１０及び図１２に示すように、乾燥剤支持部５００は、先述の視認領域Ｒの範囲外に位置するように、ガラス窓２３の隅部にあたるガラスフレーム２３ｃの近傍（ここでは、ガラス窓２３の正面視左下部分）に設けられている。そのため、ガラス窓２３を表枠１４に取り付けると、正面視（図１０参照）、乾燥剤支持部５００は窓部１４０の外周部により隠蔽されて、乾燥剤２９０は目視できなくなる。
【００８４】
ここで、ガラス窓２３を表枠１４に取り付ける手順について説明する。図１６は、ガラス窓２３を表枠１４に取り付ける手順を示す斜視図である。図１７は、ガラス窓２３及び表枠１４の上端縁部の拡大背面図である。図１８は、ガラス窓２３が取り付けられた表枠１４の背面図である。図１９は、ガラス窓２３が取り付けられた表枠１４の正面図である。
【００８５】
まず、図１６に示すように、パチンコ機１の製造者や管理者などは、ガラス窓２３の両側部を把持して所定の高さに持ち上げて、表枠１４の背面側にガラス窓２３の正面側を近づけていき、ガラス窓２３の掛着具２３１を表枠１４の支持具１４２に掛着させる。すると、掛着具２３１の連結棒２３１ｃは、支持具１４２の凹部（第１折曲片１４２ｂ，第２折曲片１４２ｄ，受け片１４２ｃにより取り囲まれた溝部）に嵌め込まれて、前後方向及び左右方向の移動が規制され、上下方向の移動と回転動作のみが可能となる。さらに、支持具１４２に掛着された掛着具２３１の軸線方向を回転中心として、製造者等はガラス窓２３を前方に回動させて、ガラス窓２３の正面側を表枠１４の背面側に近接させる。なお、ガラス窓２３はその掛着具２３１で支持具１４２により支持されているため、製造者等がガラス窓２３から手を離しても落下することはない。
【００８６】
次に、製造者等はその上端部で支持されて垂下した状態のガラス窓２３を僅かに所定高さまで持ち上げて、ガラス窓２３の上スライド片２３３ａ，２３３ｂを表枠１４の上スライド溝１４３ａ，１４３ｂに各々上方から嵌め込むと同時に、ガラス窓２３の下スライド片２３４ａ，２３４ｂを表枠１４の下スライド溝１４４ａ，１４４ｂに各々上方から嵌め込む。このとき、製造者等は掛着具２３１が支持具１４２から外れない程度にガラス窓２３を持ち上げて、掛着具２３１が支持具１４２に掛着された状態を保ったまま、上方から各スライド片を各スライド溝に嵌め込むようにする。これにより、表枠１４の背面でガラス窓２３の外周が係止されて、ガラス窓２３が窓部１４０を完全に被覆するように固定される。
【００８７】
ここで、表枠１４及びガラス窓２３の各係合対の位置関係をみると、表枠１４における上スライド溝１４３ａ，１４３ｂの上端から支持具１４２の第２折曲片１４２ｄの上端までの高さは、ガラス窓２３における上スライド片２３３ａ，２３３ｂの下端から掛着具２３１の連結棒２３１ｃの下端までの高さよりも大きい。同様に、表枠１４における下スライド溝１４４ａ，１４４ｂの上端から支持具１４２の第２折曲片１４２ｄの上端までの高さは、ガラス窓２３における下スライド片２３４ａ，２３４ｂの下端から掛着具２３１の連結棒２３１ｃの下端までの高さよりも大きい。
【００８８】
そのため、ガラス窓２３の掛着具２３１を表枠１４の支持具１４２から取り外す場合には、ガラス窓２３の各スライド片を表枠１４の各スライド溝に上方から着脱する場合よりも、ガラス窓２３をより高く持ち上げる必要がある。よって、ガラス窓２３の各スライド片を表枠１４の各スライド溝に上方から着脱する際に、ガラス窓２３を垂下した状態から所定高さで持ち上げても、掛着具２３１は支持具１４２から外れることなく掛着状態が保たれるため、当該作業時にガラス窓２３が表枠１４から抜け落ちることはない。
【００８９】
最後に、図１７に示すように、表枠１４の背面において、製造者等はガラス窓固定具１４５ａの操作部１４５３ａを用いて可動体１４５１ａを左方向にスライド移動させ、可動体１４５１ａの左端部をガラス窓２３のガラス窓固定片２３５ａの上端平面に係止する。同様に、ガラス窓固定具１４５ｂの操作部１４５３ｂを用いて可動体１４５１ｂを右方向にスライド移動させ、可動体１４５１ｂの右端部をガラス窓２３のガラス窓固定片２３５ｂの上端平面に係止する。これにより、表枠１４の背面ではガラス窓２３の上端部が固定され、ガラス窓２３が上方向に移動して表枠１４から外れる不具合が防止される。以上の手順により、製造者等はガラス窓２３を表枠１４に簡易かつ正確に取り付けることができる（図１８及び図１９参照）。
【００９０】
なお、ガラス窓２３を表枠１４から取り外す場合は、上記の手順を逆に行う。すなわち、表枠１４の背面において、製造者等はガラス窓固定具１４５ａ，１４５ｂをガラス窓固定片２３５ａ，２３５ｂから外す。次に、ガラス窓２３を若干持ち上げて、各スライド係合片を各スライド係合部から外す。そして、ガラス窓２３を後方に回動させて、ガラス窓２３の正面側を表枠１４の背面側から離間させ、最後に、掛着具２３１を支持具１４２から取り外せばよい。
【００９１】
このように、本実施の形態に係るパチンコ機１では、ガラス窓２３の掛着具２３１を表枠１４の支持具１４２に掛着させた状態（すなわち、ガラス窓２３がその上端部で支持された状態）で、製造者等は表枠１４に対するガラス窓２３の着脱作業を行う。そのため、製造者等が取付け作業中に誤ってガラス窓２３から手を離しても、ガラス窓２３が落下することはない。そして、ガラス窓２３を表枠１４の適正な取付け箇所に位置決めしたり、ガラス窓２３が表枠１４から外れないように固定したりするのも容易である。
【００９２】
また、ガラス窓２３が表枠１４に取付けられた状態において、背面視（図１９参照）、乾燥剤支持部５００の内部に設けられた乾燥剤２９０は、被覆部５０４により隠蔽されて目視できない（図１２参照）。さらに、正面視（図２参照）、目視部３００ａに含まれる視認領域Ｒのみが目視可能であり、吸湿部３００ｂを含めた他の部分は表枠１４により被覆されるために、正面側からも乾燥剤２９０を目視できない（図１０参照）。つまり、ガラス窓２３を表枠１４に取り付けると、ガラス窓２３の正面側及び背面側のいずれからも乾燥剤２９０を目視できないようにすることができる。
【００９３】
ところで、中枠１３に遊技盤２を取り付け、かつ表枠１４にガラス窓２３を取り付けた後に、当該中枠１３に対して当該表枠１４を閉鎖すると、先述のように、鉤金具２１，２２の先端部が表枠１４側の係止具１４ｇ，１４ｈに係止されて、シリンダ錠７６により施錠状態とされる。このとき、遊技盤２の正面側に形成された外レール３と、ガラス窓２３の背面側に形成されたリブ部２３９ａ〜２３９ｄとが、各々対向して重なるように係合する。そのため、中枠１３に対して表枠１４を閉鎖した後は、外レール３とリブ部２３９ａ〜２３９ｄとが重なるように係合する部位では、中枠１３と表枠１４との隙間から側面方向に異物を挿入することができない。つまり、ガラス窓２３とパチンコ機１の正面側との間に隙間が生じないようにして、外部から異物を挿入するような不正行為を防止することができる。
【００９４】
なお、本実施の形態では、背面視、リブ部２３９ａはガラス窓２３の上側に設けられ、リブ部２３９ｂはガラス窓２３の左側に設けられ、リブ部２３９ｃはガラス窓２３の左下側に設けられ、リブ部２３９ｄはガラス窓２３の右下側に設けられている（図９及び図１１参照）。これは、正面視、パチンコ機１の上側部や両側部が針金などを挿入する不正が行われやすい部位であり、かかる部位に対応してリブ部２３９ａ〜２３９ｄを設けることで、不正行為を効果的に防止するためである。
【００９５】
以上、本実施の形態に係るパチンコ機１によれば、パチンコ機１の表枠１４において、ガラス窓２３の掛着具２３１が表枠１４の支持具１４２に掛着される。そして、掛着具２３１が支持具１４２に掛着された状態で、ガラス窓２３の各スライド片２３３ａ，２３３ｂ，２３４ａ，２３４ｂを表枠１４の各スライド溝１４３ａ，１４３ｂ，１４４ａ，１４４ｂに上方から各々着脱するようにした。また、ガラス窓２３のガラス窓固定片２３５ａ，２３５ｂを表枠１４のガラス窓固定具１４５ａ，１４５ｂで係止して、ガラス窓２３の上端部を固定するようにした。よって、ガラス窓２３が落下しないように支持された状態で、表枠１４に対してガラス窓２３を簡易かつ確実に着脱することができ、また表枠１４からガラス窓２３が外れないように固定することができる。なお、ガラス窓２３の掛着具２３１、表枠１４の支持具１４２及びガラス窓固定具１４５ａ，１４５ｂなどは簡易な構成を有するため、本発明に係るパチンコ機１を容易かつ安価に実現することが可能である。
【００９６】
ところで、上記実施の形態において、ガラス窓２３が、本発明の「透明部材」に相当する。そして、表枠１４の支持具１４２，上スライド溝１４３ａ，１４３ｂ，下スライド溝１４４ａ，１４４ｂが、本発明の「保持部材」に相当する。上スライド溝１４３ａ，１４３ｂと下スライド溝１４４ａ，１４４ｂとが、本発明の「複数の係合部」に相当する。ガラス窓固定具１４５ａ，１４５ｂが、本発明の「上端固定部材」に相当する。また、リブ部２３９ａ〜２３９ｄと係合される外レール３が、本発明の「リブ受け部」に相当する。
【００９７】
なお、本発明は、以上詳述した実施の形態に限定されるものではなく、種々の変更が可能である。まず、本実施の形態では遊技機として、遊技機の一種であるパチンコ機１を例に挙げているが、遊技機はパチンコ機に限られず、パチコン機及びスロット等の各種遊技機に適用可能である。
【００９８】
また、ガラス窓２３を表枠１４に有効に掛着できるのであれば、掛着具２３１及び支持具１４２は任意の形態とすることができる。例えば、掛着具２３１を鉤状に屈曲された板状金具とする一方、支持具１４２を掛着具２３１が掛着可能な棒状金具として実装してもよい。
【００９９】
また、ガラス窓２３の上端部を有効に固定できるのであれば、ガラス窓固定具１４５ａ，１４５ｂは任意の形態とすることができる。例えば、ガラス窓固定具１４５ａ，１４５ｂは、ガラス窓２３の上端部を固定するレバー状の固定用金具として実装してもよい。
【０１００】
また、ガラス窓２３において、リブ部２３９ａ〜２３９ｄが形成される位置や範囲なども任意である。例えば、ガラス窓２３の全周において背面側に突出するようなリブ部を形成してもよい。なお、ガラス窓２３の形状や大きさなども、パチンコ機１の仕様や表枠１４（窓部１４０）の形態に応じて任意に変更可能であることは言うまでもない。
【産業上の利用可能性】
【０１０１】
本発明の遊技機は、パチンコ機に限られず、パチコン機、パチスロ機等の各種の遊技機に適用することができる。
【図面の簡単な説明】
【０１０２】
【図１】パチンコ機１の表枠１４及び中枠１３が開いた状態を斜め前方から見た斜視図である。
【図２】パチンコ機１の正面図である。
【図３】遊技盤２の正面図である。
【図４】中枠１３の正面図である。
【図５】遊技盤２が取り付けられた中枠１３の正面図である。
【図６】ガラス窓２３が取り付けられていない表枠１４の斜め後方からみた斜視図である。
【図７】ガラス窓２３が取り付けられていない表枠１４の背面図である。
【図８】支持具１４２の拡大斜視図である。
【図９】ガラス窓２３の斜め前方からみた斜視図である。
【図１０】ガラス窓２３の正面図である。
【図１１】ガラス窓２３の斜め後方からみた斜視図である。
【図１２】ガラス窓２３の背面図である。
【図１３】Ｂ−Ｂ線における、ガラス窓２３の矢視方向断面図である。
【図１４】Ｃ−Ｃ線における、ガラス窓２３の矢視方向断面図である。
【図１５】掛着具２３１の拡大斜視図である。
【図１６】ガラス窓２３を表枠１４に取り付ける手順を示す斜視図である。
【図１７】ガラス窓２３及び表枠１４の上端縁部の拡大背面図である。
【図１８】ガラス窓２３が取り付けられた表枠１４の背面図である。
【図１９】ガラス窓２３が取り付けられた表枠１４の正面図である。
【符号の説明】
【０１０３】
１    パチンコ機
２    遊技盤
１２    外枠
１３    中枠
１４    表枠
１４０    窓部
１４２    支持具
１４３ａ    上スライド溝
１４３ｂ    上スライド溝
１４４ａ    下スライド溝
１４４ｂ    下スライド溝
１４５ａ    ガラス窓固定具
１４５ｂ    ガラス窓固定具
２３    ガラス窓
２３ａ    ガラス板
２３ｂ    ガラス板
２３ｃ    ガラスフレーム
２３ｄ    シール材
２３ｅ    シール材
２３１    掛着具
２３３ａ      上スライド片
２３３ｂ    上スライド片
２３４ａ    下スライド片
２３４ｂ    下スライド片
２３５ａ    ガラス窓固定片
２３５ｂ    ガラス窓固定片
２３９ａ    リブ部
２３９ｂ    リブ部
２３９ｃ    リブ部
２３９ｄ    リブ部
２９０    乾燥剤
３００    密閉空間
３００ａ    目視部
３００ｂ    吸湿部
５００    乾燥剤支持部
５０１    外枠
５０２    連結部
５０３    内枠
５０４    被覆部
５０５    仕切部
５０６    支持部
５０７    支持部
５０９    通気孔
【図１】
2007190260.tif 000003
【図２】
2007190260.tif 000004
【図３】
2007190260.tif 000005
【図４】
2007190260.tif 000006
【図５】
2007190260.tif 000007
【図６】
2007190260.tif 000008
【図７】
2007190260.tif 000009
【図８】
2007190260.tif 000010
【図９】
2007190260.tif 000011
【図１０】
2007190260.tif 000012
【図１１】
2007190260.tif 000013
【図１２】
2007190260.tif 000014
【図１３】
2007190260.tif 000015
【図１４】
2007190260.tif 000016
【図１５】
2007190260.tif 000017
【図１６】
2007190260.tif 000018
【図１７】
2007190260.tif 000019
【図１８】
2007190260.tif 000020
【図１９】
2007190260.tif 000021